(57)【要約】【課題】撮影作業時の労力を軽減させることができる赤外線カメラを提供すること。【解決手段】本発明では、グリップの上端部に撮影装置をアタッチメントを介して着脱自在に配設する一方、グリップの下端部に電源装置を着脱自在に配設し、さらには、グリップの前端部に被写体に向けて赤外線を照射するための赤外線照射装置を配設することにした。【選択図】      図１
2004173203.tif 000002
【特許請求の範囲】
【請求項１】
撮影装置に連設したグリップに被写体に向けて赤外線を照射する赤外線照射装置を配設したことを特徴とする赤外線カメラ。
【請求項２】
前記赤外線照射装置は、照射範囲を変更できるべく構成したことを特徴とする請求項１記載の赤外線カメラ。
【請求項３】
前記グリップの上端部に撮影装置を配設する一方、グリップの下端部に電源装置を配設したことを特徴とする請求項１又は請求項２記載の赤外線カメラ。
【請求項４】
前記グリップに電源装置を配設するとともに、グリップの内部に電源分配回路を設け、同電源分配回路によって電源装置から供給された電源を赤外線照射装置と撮影装置とに分配すべく構成したことを特徴とする請求項１〜請求項３のいずれかに記載の赤外線カメラ。
【請求項５】
前記グリップと撮影装置との間にアタッチメントを介設したことを特徴とする請求項１〜請求項４のいずれかに記載の赤外線カメラ。
【請求項６】
前記グリップは、赤外線照射装置を設けた本体部の下部に把持部を連設するとともに、同把持部の基部前方位置に、押圧操作によって赤外線照射装置から赤外線を照射するための赤外線照射スイッチを配設したことを特徴とする請求項１〜請求項５のいずれかに記載の赤外線カメラ。
【発明の詳細な説明】
【０００１】
【発明の属する技術分野】
本発明は、赤外線カメラに関するものである。
【０００２】
【従来の技術】
従来より、暗所でも被写体を良好に撮影することのできるカメラとして、被写体から放出される赤外線を受光し、かかる赤外線を電気信号に変換して映像化する赤外線カメラが使用されていた。
【０００３】
かかる従来の赤外線カメラは、グリップの上端部に撮影装置を連設しており、グリップを片手で把持しながら撮影を行うものであった（たとえば、特許文献１参照）。
【０００４】
【特許文献１】
特開２００２−２０２１９７号公報
【０００５】
【発明が解決しようとする課題】
ところが、従来の赤外線カメラには被写体に向けて赤外線を照射する赤外線照射装置が設けられていなかったため、撮影者が片手で赤外線カメラを保持し、他方の手で赤外線照射装置を保持しながら撮影を行わなければならず、撮影作業時に撮影者の両手がふさがってしまって、撮影作業が煩雑なものとなっていた。
【０００６】
【課題を解決するための手段】
そこで、請求項１に係る本発明では、撮影装置に連設したグリップに被写体に向けて赤外線を照射する赤外線照射装置を配設することにした。
【０００７】
また、請求項２に係る本発明では、前記請求項１に係る本発明において、前記赤外線照射装置は、照射範囲を変更できるべく構成することにした。
【０００８】
また、請求項３に係る本発明では、前記請求項１又は請求項２に係る本発明において、前記グリップの上端部に撮影装置を配設する一方、グリップの下端部に電源装置を配設することにした。
【０００９】
また、請求項４に係る本発明では、前記請求項１〜請求項３のいずれかに係る本発明において、前記グリップに電源装置を配設するとともに、グリップの内部に電源分配回路を設け、同電源分配回路によって電源装置から供給された電源を赤外線照射装置と撮影装置とに分配すべく構成することにした。
【００１０】
また、請求項５に係る本発明では、前記請求項１〜請求項４のいずれかに係る本発明において、前記グリップと撮影装置との間にアタッチメントを介設することにした。
【００１１】
また、請求項６に係る本発明では、前記請求項１〜請求項５のいずれかに係る本発明において、前記グリップは、赤外線照射装置を設けた本体部の下部に把持部を連設するとともに、同把持部の基部前方位置に、押圧操作によって赤外線照射装置から赤外線を照射するための赤外線照射スイッチを配設することにした。
【００１２】
【発明の実施の形態】
本発明に係る赤外線カメラは、グリップの上端部に撮影装置をアタッチメントを介して着脱自在に配設する一方、グリップの下端部に電源装置を着脱自在に配設し、さらには、グリップの前端部に被写体に向けて赤外線を照射するための赤外線照射装置を配設したものである。
【００１３】
赤外線照射装置は、グリップの前端部に赤外線照射ランプを配設するとともに、同赤外線照射ランプの後方にパラボラ状の反射体を前後方向にスライド自在に配設し、同反射体を前後にスライド移動させることによって赤外線照射ランプから発する赤外線の照射範囲を広狭自在に変更することができるように構成している。
【００１４】
また、グリップは、前後方向に向けて伸延させた筒状の本体部と、同本体部の下部に上下方向に向けて伸延させた筒状の把持部とから構成しており、本体部の上部に撮影装置を取付けるとともに、本体部の前端部に赤外線照射装置を形成し、一方、把持部の基部前方位置に、押圧操作によって赤外線照射装置から赤外線を照射するための赤外線照射スイッチを配設している。
【００１５】
さらには、グリップの内部に電源分配回路を設け、同電源分配回路によって電源装置から供給された電源を赤外線照射装置と撮影装置とに分配するようにしている。
【００１６】
このように、本発明に係る赤外線カメラでは、グリップに赤外線照射装置を設けているため、撮影者は片手でグリップを把持して撮影を行うだけで、赤外線照射装置から被写体に向けて赤外線を照射させながら撮影装置で撮影することができるので、撮影作業時の労力を削減させることができる。
【００１７】
また、赤外線照射装置の照射範囲を変更することができるので、赤外線照射装置による照射範囲を撮影範囲に容易に対応させることができ、赤外線照射による撮影を良好に行うことができる。
【００１８】
また、グリップの上端部に撮影装置を配設する一方、グリップの下端部に電源装置を配設しているため、グリップの上下の重量バランスが良好になり、グリップを安定に保持することができ、これによっても、撮影作業時の労力を軽減させることができる。
【００１９】
また、グリップの内部に設けた電源分配回路によって電源装置から供給された電源を赤外線照射装置と撮影装置とに分配するようにしているため、単一の電源装置で赤外線照射装置と撮影装置とを駆動することができ、それぞれ別個の電源装置を用意する必要がなくなって電源装置の管理が容易なものとなるとともに、電源装置の交換作業が容易なものとなり、これによっても、撮影作業時の労力を軽減させることができる。
【００２０】
また、グリップと撮影装置との間にアタッチメントを介設しているため、アタッチメントを交換することによって種々の撮影装置をグリップに装着することができ、赤外線カメラの仕様変更を容易なものとすることができる。
【００２１】
また、グリップに形成した把持部の基部前方位置に、押圧操作によって赤外線照射装置から赤外線を照射するための赤外線照射スイッチを配設しているため、把持部を把持しながらの状態で赤外線照射スイッチを押圧操作することができ、これによっても、撮影作業時の労力を軽減させることができる。
【００２２】
【実施例】
以下に、本発明の具体的な実施例について図面を参照しながら説明する。
【００２３】
本発明に係る赤外線カメラ１は、図１及び図２に示すように、グリップ２の頂上部に撮影装置３を着脱自在に取付けている。
【００２４】
グリップ２は、前後方向に向けて伸延させた筒状の本体部４と、同本体部４の下部に上下方向に向けて伸延させた筒状の把持部５とから構成している。
【００２５】
そして、グリップ２の本体部４の上部には、撮影装置３をアタッチメント６を介して着脱自在に装着している。
【００２６】
アタッチメント６は、グリップ２の本体部４の上部に着脱自在に螺着したアタッチメント本体７と、同アタッチメント本体７の上部に着脱自在に載設したアタッチメント座体８と、同アタッチメント座体８と撮影装置３との間に介設する緩衝体９とから構成しており、アタッチメント本体７とアタッチメント座体８とはロック機構１０で固定できるようにしており、また、アタッチメント座体８の上部に突設したネジ体１１に撮影装置３を螺着するようにしている（図３参照）。
【００２７】
このように、グリップ２と撮影装置３との間にアタッチメント６を介設しているため、アタッチメント６を交換することによって種々の撮影装置３を同一のグリップ２に装着することができ、赤外線カメラ１の仕様変更を容易なものとすることができる。
【００２８】
また、グリップ２の本体部４の前端部には、被写体に向けて赤外線を照射するための赤外線照射装置１２を連設している。
【００２９】
このように、本実施例では、グリップ２に赤外線照射装置１２を設けているため、撮影者は片手でグリップ２を把持して撮影を行うだけで、赤外線照射装置１２から被写体に向けて赤外線を照射させながら撮影装置３で被写体を撮影することができるので、撮影作業時の労力が大幅に軽減することになる。
【００３０】
赤外線照射装置１２は、グリップ２の本体部４の前端部に円筒状の支持体１３を形成し、同支持体１３の前端部に赤外線照射ランプ１４を取付けるとともに、支持体１３にパラボラ状の反射体１５を前後方向にスライド自在に取付けている。
【００３１】
そして、赤外線照射装置１２は、図４に示すように、赤外線照射ランプ１４の後方に位置する反射体１５を前後にスライド移動させることによって赤外線照射ランプから発する赤外線の照射範囲を広狭自在に変更することができるようにしている。
【００３２】
そのため、赤外線照射装置１２の照射範囲を変更することによって赤外線照射装置１２による照射範囲を撮影装置３による撮影範囲に容易に対応させることができ、赤外線照射による撮影を良好に行うことができる。
【００３３】
また、グリップ２の把持部５の基部前方位置には、引き金状の赤外線照射スイッチ１６を配設しており、同赤外線照射スイッチ１６を押圧操作することによって赤外線照射装置１２から赤外線を照射するようにしている。
【００３４】
このように、グリップ２に形成した把持部５の基部前方位置に、押圧操作によって赤外線照射装置１２から赤外線を照射するための赤外線照射スイッチ１６を配設しているため、把持部５を把持しながらの状態で赤外線照射スイッチ１６を押圧操作することができ、撮影作業時の労力を軽減させることができる。
【００３５】
また、グリップ２の把持部５の下端部には、電源装置１７を着脱自在に取付けている。
【００３６】
このように、本実施例では、グリップ２の上端部に撮影装置３を配設する一方、グリップ２の下端部に電源装置１７を配設しているため、赤外線カメラ１におけるグリップ２の上下の重量バランスが良好になり、グリップ２を安定に保持することができ、撮影作業時の労力を軽減させることができる。
【００３７】
かかる電源装置１７は、図５に示すように、グリップ２の本体部４の内部に設けた電源分配回路１８によって電源を所定電圧に変換して赤外線照射装置１２と撮影装置３とに分配している。図中、１９は接続コードである。
【００３８】
そのため、単一の電源装置１７で赤外線照射装置１２と撮影装置３とを駆動することができ、それぞれ別個の電源装置１７を用意する必要がなくなって電源装置１７の管理が容易なものとなるとともに、電源装置１７の交換作業が容易なものとなり、これによっても、撮影作業時の労力を軽減させることができる。
【００３９】
【発明の効果】
本発明は、以上に説明したような形態で実施され、以下に記載されるような効果を奏する。
【００４０】
すなわち、請求項１に係る本発明では、撮影装置に連設したグリップに被写体に向けて赤外線を照射する赤外線照射装置を配設しているため、撮影者は片手でグリップを把持して撮影を行うだけで、赤外線照射装置から被写体に向けて赤外線を照射させながら撮影装置で撮影することができるので、撮影作業時の労力を削減させることができる。
【００４１】
また、請求項２に係る本発明では、赤外線照射装置の照射範囲を変更できるようにしているため、赤外線照射装置による照射範囲を撮影範囲に容易に対応させることができ、赤外線照射による撮影を良好に行うことができる。
【００４２】
また、請求項３に係る本発明では、グリップの上端部に撮影装置を配設する一方、グリップの下端部に電源装置を配設しているため、グリップの上下の重量バランスが良好になり、グリップを安定に保持することができ、これによっても、撮影作業時の労力を軽減させることができる。
【００４３】
また、請求項４に係る本発明では、グリップの内部に電源分配回路を設けた電源分配回路によって電源装置から供給された電源を赤外線照射装置と撮影装置とに分配するようにしているため、単一の電源装置で赤外線照射装置と撮影装置とを駆動することができ、それぞれ別個の電源装置を用意する必要がなくなって電源装置の管理が容易なものとなるとともに、電源装置の交換作業が容易なものとなり、これによっても、撮影作業時の労力を軽減させることができる。
【００４４】
また、請求項５に係る本発明では、グリップと撮影装置との間にアタッチメントを介設しているため、アタッチメントを交換することによって種々の撮影装置をグリップに装着することができ、赤外線カメラの仕様変更を容易なものとすることができる。
【００４５】
また、請求項６に係る本発明では、グリップに形成した把持部の基部前方位置に、押圧操作によって赤外線照射装置から赤外線を照射するための赤外線照射スイッチを配設しているため、把持部を把持しながらの状態で赤外線照射スイッチを押圧操作することができ、これによっても、撮影作業時の労力を軽減させることができる。
【図面の簡単な説明】
【図１】本実施例に係る赤外線カメラの側面図。
【図２】同正面図。
【図３】同分解斜視図。
【図４】赤外線照射装置の動作を示す説明図。
【図５】赤外線カメラの電源配線図。
【符号の説明】
１  赤外線カメラ
２  グリップ
３  撮影装置
４  本体部
５  把持部
６  アタッチメント
１２  赤外線照射装置
１６  赤外線照射スイッチ
１７  電源装置
１８  電源分配回路
【図１】
2004173203.tif 000003
【図２】
2004173203.tif 000004
【図３】
2004173203.tif 000005
【図４】
2004173203.tif 000006
【図５】
2004173203.tif 000007